(57)【要約】      （修正有）【課題】イオントフォレーシス装置における薬物の拡散防止等に用いられるリリースライナーを使用時に容易に横方向に引き抜き可能とする。【解決手段】例えばイオントフォレーシス装置１０の作用側電極構造体２０における第２イオン選択性膜２６と薬液保持部３２の間、又は、電解液保持部２４と薬液保持部３２の間に、これらに接触して配置され、使用前にこれらの層を分離しておくためのリリースライナー３６を、面積が異なる小面積側部分と大面積側部分との少なくとも２つに、相互に分離可能に接続し、少なくとも大面積側部分を、他の部分から、分離して徐々に引き抜き可能とする。【選択図】図１
2007229228.tif 000002
【特許請求の範囲】
【請求項１】
使用時に接触させる複数の層の間に、これらに接触して配置され、使用前にこれらの層を分離しておくためのリリースライナーであって、
面積が異なる大面積側部分と小面積側部分との少なくとも２つに、相互に分離可能に接続され、
少なくとも大面積側部分が、他の部分から分離して徐々に引き抜き可能とされていることを特徴とするリリースライナー。
【請求項２】
前記小面積側部分を引き抜いた時に、層の一部が接触して位置決めされることを特徴とする請求項１に記載のリリースライナー。
【請求項３】
前記リリースライナーに接触して分離される層が、ゲルと膜であることを特徴とする請求項１又は２に記載のリリースライナー。
【請求項４】
前記リリースライナーに接触して分離される層が、ゲルとゲルであることを特徴とする請求項１又は２に記載のリリースライナー。
【請求項５】
前記大面積側部分が、折曲げ線が前記引き抜きの方向と直交する蛇腹状とされていることを特徴とする請求項１乃至４のいずれかに記載のリリースライナー。
【請求項６】
前記大面積側部分が、前記引き抜きの方向にその長手方向が向くような長い糸状体を、引き抜きの方向と直交する方向に並べた多重糸状とされていることを特徴とする請求項１乃至４のいずれかに記載のリリースライナー。
【請求項７】
前記大面積側部分が、前記引き抜きの方向と直交する方向にその長手方向が向くような長いつづら折り状の糸状体とされていることを特徴とする請求項１乃至４のいずれかに記載のリリースライナー。
【請求項８】
前記大面積側部分が、前記引き抜きの方向にその長手方向が向くような長いつづら折り状の糸状体とされていることを特徴とする請求項１乃至４のいずれかに記載のリリースライナー。
【請求項９】
前記小面積側部分が、層の一部の周縁に沿って配設されていることを特徴とする請求項１乃至８のいずれかに記載のリリースライナー。
【請求項１０】
前記小面積側部分が、スポット状に固定されていることを特徴とする請求項１乃至８のいずれかに記載のリリースライナー。
【請求項１１】
前記大面積側部分が、小面積側部分とは反対側から引き抜くようにされていることを特徴とする請求項１乃至１０のいずれかに記載のリリースライナー。
【請求項１２】
請求項１乃至１１のいずれかに記載のリリースライナーを備えたことを特徴とするイオントフォレーシス装置。
【請求項１３】
請求項１乃至１１のいずれかに記載のリリースライナーを引き抜く際に、
まず、小面積側部分を引抜いて、層の一部を接触させて位置決めし、
次いで、大面積側部分を徐々に引き抜くことを特徴とするリリースライナーの引き抜き方法。
【発明の詳細な説明】
【技術分野】
【０００１】
本発明は、使用時に接触される複数の層の間に、これらに接触して配置され、これらの層を使用前に分離しておくためのリリースライナーに係り、特に、イオン解離した薬物イオンを電圧により駆動して生体に投与するためのイオントフォレーシス装置に用いるのに好適な、容易に引き抜き可能なリリースライナーに関する。
【背景技術】
【０００２】
イオントフォレーシスは、薬液中においてカチオン又はアニオンに解離した薬物を電圧により駆動して経皮的に生体内に移行させるものであり、患者に対する負担が少なく、薬物の投与量の制御性に優れるなどの利点を有している。
【０００３】
図８は、上記イオントフォレーシスを行うための装置であるイオントフォレーシス装置の基本的な構成を模式的に示す断面図である。
【０００４】
図示されるように、イオントフォレーシス装置は、作用側電極２１１と、カチオン又はアニオンの薬物イオンを含む薬液を保持する薬液保持部２１２を有する作用側電極構造体２１０、非作用側電極２２１と、電解液を保持する電解液保持部２２２を有する非作用側電極構造体２２０、及び、作用側電極２１１、非作用側電極２２１に両端を接続された電源２３０を備えており、薬液保持部２１２及び電解液保持部２２２を生体皮膚に接触させた状態で、作用側電極２１１に薬物イオンと同一導電型の電圧を、非作用側電極２２１にその反対導電型の電圧を印加することで、薬物イオンが生体に投与される。
【０００５】
特許文献１は、上記作用側電極構造体２１０を改良して、薬物イオンの投与効率を上昇させるようにした作用側電極構造体を開示している。
【０００６】
図９に、特許文献１に開示されると同様の作用側電極構造体３１０の構成を示す。図示されるように、作用側電極構造体３１０は、電源から第１導電型の電圧が印加される作用側電極３１１、第１導電型の薬物イオンを含む薬液を保持する薬液保持部３１２及び第１導電型のイオン交換膜３１３を有している。
【０００７】
この作用側電極構造体３１０では、薬液保持部３１２と生体皮膚の間に第１導電型のイオン交換膜３１３が介在するため、生体から薬液保持部３１２への生体対イオンの移行が遮断される。従って、作用側電極構造体３１０を用いたイオントフォレーシス装置では、生体対イオンの移動により消費される電流量が低減され、その結果、薬物イオンの投与効率が上昇する。
【０００８】
このようなイオントフォレーシス装置において、図９に示す如く、例えば薬液保持部３１２とイオン交換膜３１３の間にライナー４００を配置し、非使用時（使用前）には両者間を隔絶する構成とすることによって、薬液保持部３１２とイオン交換膜３１３の接触による混合や汚染を防止し、保存期間中の電極液と薬物の拡散による混合を抑制することができる。一方、使用開始時は、ライナー４００の一端（図では左端）を矢印Ａで示す如く外側から引張ることによって、ライナー４００を除去することができ、これによって、薬液保持部３１２とイオン交換膜３１３を接触させ、電源２３０からの電流が流れるようにして、薬物イオンの投与を開始することができる。
【０００９】
又、特許文献２の図４にも、図１０に示す如く、ライナー１０１２で、イオントフォレーシス電極１０１や親水性マトリックス基材１０５を有する部分１０１０と、乾燥状態のインスリンリスプロ保持膜１０９やエレクトロポレーション電極１０４などを有する部分１０２０に分けて、使用開始時に、前記部分１０１０からライナー１０１２を矢印Ｂに示す如く剥離後、インスリンリスプロ保持膜１０９を前記部分１０１０と合わせて、保持膜１０９上のインスリンリスプロを溶解し、投与できる状態とすることが記載されている。図において、１０２は、イオントフォレーシス電極１０１を外部の電源装置に接続するための接続端子、１０３は、エレクトロポレーション電極１０４の導線とつながる電極端子、１０７は、保持膜１０９の周辺部を覆う絶縁粘着層である。
【００１０】
【特許文献１】特開平４−２９７２７７号公報
【特許文献２】特開２００３−２９９７４３号公報（図４）
【発明の開示】
【発明が解決しようとする課題】
【００１１】
しかしながら従来は、ライナー４００が大面積の一枚物であったため、特に、薬液保持部３１２やイオン交換膜３１３がゲル等の粘着性を有するものである場合には、横方向へ引き抜くのが容易ではなかった。
【００１２】
特許文献２においても、ライナー１０２を横方向へ引き抜くのではなく、剥がしてから合わせる方法を採っている。
【００１３】
本発明は、前記従来の問題点を解消するべくなされたもので、使用時に容易に横方向に引き抜くことが可能なリリースライナーを提供することを課題とする。
【課題を解決するための手段】
【００１４】
本発明は、使用時に接触させる複数の層の間に、これらに接触して配置され、使用前にこれらの層を分離しておくためのリリースライナーを、面積が異なる大面積側部分と小面積側部分との少なくとも２つに、相互に分離可能に接続し、少なくとも大面積側部分が、他の部分から分離して、徐々に引き抜き可能として、前記課題を解決したものである。
【００１５】
又、前記小面積側部分を引き抜いた時に、層の一部が接触して位置決めされるようにしたものである。
【００１６】
又、前記リリースライナーに接触して分離される層を、ゲルと膜、或いは、ゲルとゲルとしたものである。
【００１７】
又、前記大面積側部分を、折曲げ線が前記引き抜きの方向と直交する蛇腹状としたものである。
【００１８】
又、前記大面積側部分を、前記引き抜きの方向にその長手方向が向くような長い糸状体を、引き抜きの方向と直交する方向に並べた多重糸状としたものである。
【００１９】
又、前記大面積側部分を、前記引き抜きの方向と直交する方向にその長手方向が向くような長いつづら折り状の糸状体としたものである。
【００２０】
又、前記大面積側部分を、前記引き抜きの方向にその長手方向が向くような長いつづら折り状の糸状体としたものである。
【００２１】
又、前記小面積側部分を、層の一部の周縁に沿って配設したものである。
【００２２】
又、前記小面積側部分を、スポット状に固定したものである。
【００２３】
又、前記大面積側部分を、小面積側部分とは反対側から引き抜くようにしたものである。
【００２４】
本発明は、又、前記のリリースライナーを備えたことを特徴とするイオントフォレーシス装置を提供するものである。
【００２５】
本発明は、又、前記のリリースライナーを引き抜く際に、まず、小面積側部分を引抜いて、層の一部を接触させて位置決めし、次いで、大面積側部分を徐々に引き抜くことを特徴とするリリースライナーの引き抜き方法を提供するものである。
【発明の効果】
【００２６】
本発明によれば、リリースライナーを、面積が異なる大面積側部分と小面積側部分との少なくとも２つに、相互に分離可能に接続し、少なくとも大面積側部分を、他の部分から分離して徐々に引き抜き可能としたので、リリースライナーを横方向に容易に引き抜くことができる。
【発明を実施するための最良の形態】
【００２７】
この最良の形態に係る装置は、イオントフォレーシスにより薬物イオンを投与するために使用される作用側電極構造体及び非作用側電極構造体と、これらの作用側電極構造体及び非作用側電極構造体に異なる極性で接続される直流電源と、を有し、前記作用側電極構造体は、前記直流電源における、前記薬物イオンと同種の極性に接続された作用側電極と、この作用側電極に電気的に接続され、前記薬物イオンとなる薬物を保持する薬液保持部と、を少なくとも有してなり、且つ、前記作用側電極体に挿入されたリリースライナーを備えている。このリリースライナーは、面積が異なる大面積側部分と小面積側部分との少なくとも２つに、相互に分離可能に接続され、少なくとも大面積側部分が、他の部分から分離して徐々に引き抜き可能とされている。
【００２８】
以下、本発明の実施形態に係るイオントフォレーシス装置について詳細に説明する。
【実施例１】
【００２９】
本発明の実施例１に係るイオントフォレーシス装置１０は、イオントフォレーシスによりイオン性薬剤を投与するために使用される作用側電極構造体２０及び非作用側電極構造体４０と、これらの作用側電極構造体２０及び非作用側電極構造体４０に異なる極性で接続される直流電源１２と、を有している。
【００３０】
作用側電極構造体２０は、直流電源１２における、前記薬物イオンとなる薬物における薬効成分（アニオン又はカチオン）と同種の極性（カソード又はアノード）に接続された作用側電極２２と、この作用側電極２２に電気的に接続された電解液保持部２４と、第２イオン選択性膜２６と、薬物を保持する薬液保持部３２と、第１イオン選択性膜（作用側イオン選択性膜とも称する）３３と、を備えて構成され、第２イオン選択性膜２６と薬液保持部３２の間にリリースライナー３６が介挿されている。
【００３１】
なお、以下では、説明の便宜上、薬効成分がカチオンに解離する薬物（例えば、塩酸リドカインや塩酸モルヒネなど）を投与するためのイオントフォレーシス装置を例として説明するが、薬効成分がアニオンに解離する薬剤（例えば、アスコルビン酸など）を投与するためのイオントフォレーシス装置の場合は、以下の説明における各イオン交換膜、活性炭層やカチオン交換膜にドープされるイオン、及び電極に印加される電圧の導電型を逆転させることで、以下の実施例と実質的に同一の効果を達成できるイオントフォレーシス装置を構成することができる。
【００３２】
薬液保持部３２は、この実施例では、アクリル系樹脂のヒドロゲル（アクリルヒドロゲル）、セグメント化ポリウレタン系ゲル等の高分子ゲルシート等、保水性を有する任意の素材よりなる担体に薬液を含浸又は含有させて構成されている。
【００３３】
第１イオン選択性膜３３は、薬液保持部３２中の薬物イオンと同一の第１導電型のイオンを対イオンとするイオン交換基が導入されたイオン交換樹脂を含有する膜状体であり、薬液保持部３２に保持されている薬物イオンがカチオンである場合には、カチオン交換樹脂を含有し、薬物イオンがアニオンである場合にはアニオン交換樹脂を含有する。この第１イオン選択性膜３３は前記薬物イオンと同種のイオン（この実施例ではカチオン）を選択的に通過させる。
【００３４】
第２イオン選択性膜２６と薬液保持部３２（多くは粘着性ゲル）との間には、例えば薬液保持部３２側面に剥離剤が塗布された防水性のリリースライナー３６が挿入され、非使用時（使用前）には両者間を隔絶する構成となっている。このリリースライナー３６が第２イオン選択性膜２６と薬液保持部３２の薬物との接触を防止するので、保存期間中の電極液と薬物の拡散による混合を抑制することができる。
【００３５】
前記リリースライナー３６は、その一端を外側から引っ張ることによって第２イオン選択性膜２６と薬液保持部３２との間から除去することができ、これによって両者を接触可能として通電されるようにする。
【００３６】
本発明に係るリリースライナー３６は、図２（平面図）に示す如く、図の右側の小面積側部分３７と、図の左側の大面積側部分３８に２分割されている。小面積側部分３７は、円周の約１／３の円弧を有する半月形であり、大面積側部分３８は、その残りの約２／３の円弧を有する形状であり、両者の直線部分３７Ａと３８Ａは厚さ方向に重なって、且つ、分離可能に配置されている。
【００３７】
非作用側電極構造体４０は、直流電源１２における、薬物イオン（カチオン）と反対の極性（カソード）に接続された非作用側電極４２と、この非作用側電極４２の前面に配置され、第２電解液を保持する第２電解液保持部４４と、この第２電解液保持部４４の前面に配置され、前記薬物イオンと同種のイオン（カチオン）を選択的に通過させる第３イオン選択性膜４６と、この第３イオン選択性膜４６の前面に配置された第３電解液保持部４８と、この第３電解液保持部４８の前面に配置された第４イオン選択性膜（非作用側イオン選択性膜とも称する）５０と、を備えて構成されている。
【００３８】
作用側電極構造体２０における作用側電極２２及び非作用側電極構造体４０における非作用側電極４２は、例えばカーボンペースト等の非金属導電フィラーが配合された導電塗料から構成されている。これらの電極を銅板や金属薄膜によって構成することもできるが、ここから溶出した金属が薬剤投与に際して生体に移行することも考えられるので、非金属性が好ましい。
【００３９】
電解液保持部２４、第２及び第３電解液保持部４４、４８は、電解質を保持するものであり、この電解質は、水の電解反応（プラス極での酸化及びマイナス極での還元）よりも酸化又は還元され易い電解質、例えば、アスコルビン酸（ビタミンＣ）やアスコルビン酸ナトリウム等の医薬剤、乳酸、シュウ酸、リンゴ酸、コハク酸、フマル酸等の有機酸及び／又はその塩を使用することが特に好ましく、これにより、酸素ガスや水素ガスの発生を抑制することが可能であり、又、溶媒に溶解した際に緩衝電解液となる組合せの複数種の電解質を配合することにより、通電中におけるｐＨの変動を抑制することもできる。
【００４０】
電解液保持部２４、４４、４８は、ガーゼや濾紙などの繊維シート、不織布あるいは、アクリル系樹脂のヒドロゲル（アクリルヒドロゲル）、セグメント化ポリウレタン系ゲル等の高分子ゲルシート等、保水性を有する任意の素材よりなる担体に電解液を含浸又は含有させて構成されている。又、電解液を液体状態で保持するものでもよいし、電解質塗料を用いてもよい。
【００４１】
第２イオン選択性膜２６は、薬物イオンと反対導電型のイオンを対イオンとするイオン交換基が導入されたイオン交換樹脂を含有し、ここでは、薬液保持部３２における薬効成分がカチオンとなるので、陰イオン交換樹脂が配合される。
【００４２】
非作用側電極構造体４０における非作用側電極４２は、直流電源１２における、前記薬物イオンの帯電イオンと反対の極性に接続されている。
【００４３】
第２電解液保持部４４は、第２電解液を保持するようにされている。更に、第３イオン選択性膜４６は、前記薬物イオンの帯電イオンと同種のイオンを選択的に通過させるようにされている。又、第３電解液保持部４８は、第３電解液を保持するようにされ、第４イオン選択性膜５０は、前記イオン性薬剤の帯電イオンと反対のイオンを選択的に通過させるようにされている。
【００４４】
図１の符号２１は、作用電極構造体２０の外殻を構成するバッキング材、２１Ａはこのバッキング材２１の内周と作用側電極２２、電解液保持部２４、第２イオン選択性膜２６、及び薬液保持部３２の外周との間に配置されたモールド材、２１Ｂはバッキング材２１の図１において下側面のフランジ部、２１Ｃは、このフランジ部２１Ｂの粘着剤層、２１Ｄは薬液保持部３２の、図１において外側面をシールするシールフィルムをそれぞれ示す。
【００４５】
非作用側電極４２は、作用側電極２２と同様の構成であり、又、第２電解液保持部４４及び第３電解液保持部４８の構成及び成分も、電解液保持部２４と同様である。
【００４６】
更に、第３イオン選択性膜４６は、第２イオン選択性膜２６と反対の、イオン選択性膜として機能する。
【００４７】
即ち、第３イオン選択性膜４６は、前記薬物イオンと同種のイオン（カチオン）を選択するようにされていて、薬液保持部３２中の薬物イオンと同一導電型のイオンを対イオンとするイオン交換基が導入されたイオン交換樹脂を含んでいる。即ち、薬液保持部２８の薬物がカチオンに解離するので陽イオン交換樹脂を含んでいる。
【００４８】
上記陽イオン交換樹脂としては、ポリスチレン樹脂やアクリル酸系樹脂等の炭化水素系樹脂やパーフルオロカーボン骨格を有するフッ素系樹脂等の３次元的な網目構造を持つ高分子に、スルホン酸基、カルボン酸基、ホスホン酸基等の陽イオン交換基（対イオンが陽イオンである交換基）が導入されたイオン交換樹脂が制限無く使用することができる。
【００４９】
又、上記陰イオン交換樹脂としては、前記陽イオン交換樹脂と同様の３次元的な網目構造を持つ高分子に、１〜３級アミノ基、４級アンモニウム基、ピリジル基、イミダゾール基、４級ピリジニウム基、４級イミダゾリウム基等の陰イオン交換基（対イオンが陰イオンである交換基）が導入されたイオン交換樹脂が制限無く使用できる。
【００５０】
第４イオン選択性膜５０は、上記と同様の第２イオン選択性膜２６に含まれるイオン交換樹脂を含んで形成されている。この第４イオン選択性膜５０は、第２イオン選択性膜２６と同等のイオン選択性膜として機能する。
【００５１】
又、図１の符号４１は、非作用電極構造体４０の外殻を構成するバッキング材、４１Ａは、このバッキング材４１の内周と非作用側電極４２、第２電解液保持部４４、第３イオン選択性膜４６、第３電解液保持部４８及び非作用側イオン選択性膜５０の外周との間に配置されたモールド材、４１Ｂはバッキング材４１の図１において下側面のフランジ部、４１Ｃは、このフランジ部４１Ｂの粘着剤層、４１Ｄは非作用側イオン選択性膜５０の、図１において外側面をシールするシールフィルムをそれぞれ示す。
【００５２】
直流電源１２は、例えばボタン電池あるいは、例えば、特開平１１−０６７２３６号公報、米国特許公開公報２００４／０１８５６６７Ａ１号公報、米国特許６８５５４４１号公報等に開示される薄型の電池を使用することができ、実施例形態の構造に限定されるものでない。
【００５３】
この直流電源１２は作用側電極構造体２０又は非作用側電極構造体４０と一体的に配置されていて、直流電源１２とこれら作用側電極構造体２０及び非作用側電極構造体４０との間では、リード線１４により接続されている。
【００５４】
この実施例において、シールフィルム２１Ｄ、４１Ｄを剥がした後に、作用側電極構造体２０の先端を、粘着剤層２１Ｃによって、皮膚における、薬物イオンを投与しようとする個所に押し付けて粘着させ、且つその近傍に、非作用側電極構造体４０の先端の第４イオン選択性膜５０を密着して貼り付ける。次に、リリースライナー３６を両側から引き抜くと、第２イオン交換膜２６と薬液保持部３２とが接触して、直流電源１２からの電流が作用側電極構造体２０、皮膚、及び、非作用側電極構造体４０の回路に流される。
【００５５】
リリースライナー３６を引き抜く際には、図３（Ａ）に示すような状態から、まず図の右側の小面積側部分３７を、その直線部分３７Ａと直交する方向Ａに引き抜く。この際、小面積側部分３７の面積は小さいので、容易に引き抜くことができる。
【００５６】
すると、図３（Ｂ）に示す如く、小面積側部分３７を引き抜いた後の第２イオン選択性膜２６と薬液保持部３２が接触し、粘着して位置決めされ、位置ずれが防止される。
【００５７】
次いで、図３（Ｂ）に示す如く、大面積側部分３８を方向Ａと反対の方向Ｂに引き抜くが、大面積側部分３８であっても、リリースライナーが分割されておらず全面接触の従来例に比べて、上下の層との接触面積が小さく、更に、既に小面積側部分３７が引き抜かれていて、上下の層の一部が接触して位置決めされており、特に、上下の層と強く接触している円弧状外周部のうちの小面積側部分３７に対応する円弧状外周部が無いので、少ない抵抗で、且つ、位置ずれを生じることなく、図３（Ｃ）に示す如く、大面積側部分３８を容易に引き抜くことができる。
【００５８】
すると、薬液保持部３２に保持された薬物は、これが電離した場合にカチオンとなり、一方、第２イオン選択性膜２６側からは、薬物と反対極性のイオンが流入してくるので、薬液保持部３２の薬物イオンは皮膚内に浸透していく。
【００５９】
この実施例においては、リリースライナー３６が、略１／３半月形の小面積側部分３７Ａと残りの略２／３半月形の大面積側部分３８の組合せとされているので、構成が簡略である。
【００６０】
なお、大面積側部分３８の構成は、これに限定されず、例えば図４に示す第１の変形例の如く、大面積側部分３８を、例えば二つ折りとして、引き抜きを容易としても良い。
【００６１】
又、図５（Ａ）に第２の変形例を側面から見た形状を示すように、大面積側部分３８を、折曲げ線が引き抜きの方向Ｂと直交する蛇腹状に折り畳むことができる。この変形例によれば、段階的に変化する軽い力で引き抜くことができる。
【００６２】
又、図５（Ｂ）に第３の変形例の平面形状を示すように、大面積側部分３８を、引き抜きの方向Ｂにその長手方向が向くような長い糸状体３８Ｂ、３８Ｃを、引き抜きの方向Ｂと直交する方向に隙間なく並べ、それぞれに引き抜き用のタブ３９Ｂ、３９Ｃを設けた多重糸状（図では２重糸状）とすることもできる。この変形例によれば、２回に分けて、軽い力で一直線状に引き抜くことができる。
【００６３】
あるいは、図５（Ｃ）に第４の変形例の平面形状を示すように、引き抜きの方向Ｂと直交する方向にその長手方向が向くような長いつづら折り状の１本の糸状体３８Ｄで構成することができる。この変形例によれば、１本の糸で、引き抜くことができる。
【００６４】
又、図５（Ｄ）に第５の変形例の平面形状を示すように、大面積側部分３８を、引き抜きの方向Ｂにその長手方向が向くような長いつづら折り状の２本の糸状体３８Ｅ、３８Ｆで構成することができる。この変形例によれば、２本の糸で、引き抜くことができる。
【００６５】
なお、第３乃至第５の変形例における糸状体の断面形状は、円、矩形又は多角形のいずれでも良い。
【００６６】
また、リリースライナー３６の小面積側部分３７を、図６（Ａ）に示す第１の変形例の如く、層の一部の周囲に沿って配設することができる。この変形例によれば、小面積側部分３７の引き抜きを容易とすることができる。
【００６７】
あるいは図６（Ｂ）に示す第２の変形例の如く、小面積側部分３７を、スポット３７Ｂ状に固定することもできる。この変形例によれば、固定及び引き抜きを容易とすることができる。
【実施例２】
【００６８】
実施例１においては、第１電解液保持部２４と薬液保持部３２の間に、第２イオン選択性膜２６が設けられていたが、図７に実施例２の作用側電極構造体の部分を示すように、第２イオン選択性膜を省略して、第１電解液保持部２４と薬液保持部３２の間に、本発明に係るリリースライナー３６を配設することもできる。
【００６９】
実施例１においては、リリースライナー３６の片側がゲル等の粘着性を有するもの、反対側がイオン選択性膜とされていたが、実施例２では、リリースライナー３６の両側がゲル等の粘着性を有するものになる。
【００７０】
他の点については、実施例１と同様であるので、説明は省略する。
【００７１】
なお、リリースライナー３６の分割数は２に限定されず、３以上であっても良い。リリースライナーの材質も限定されない。
【００７２】
又、本発明の適用対象はイオントフォレーシス装置に限定されず、使用時に接触させる複数の層を、使用前に分離しておくための用途一般に同様に適用できる。
【図面の簡単な説明】
【００７３】
【図１】本発明の実施例１の構成を示す平面図
【図２】本発明に係るリリースライナーの形状の一例を示す平面図
【図３】同じくリリースライナーを引抜いていく様子を示す平面図
【図４】同じくリリースライナー大面積側部分の第１の変形例を側面から見た断面図
【図５】同じくリリースライナーの大面積側部分の他の変形例を模式的に示す（Ａ）側面図及び（Ｂ）（Ｃ）（Ｄ）平面図
【図６】同じくリリースライナーの小面積側部分の変形例を示す平面図
【図７】本発明の実施例２の要部の構成を示す断面図
【図８】イオントフォレーシス装置の基本的な構成を示す断面図
【図９】特許文献１で提案した構成を示す断面図
【図１０】特許文献２に記載されたライナーを示す断面図
【符号の説明】
【００７４】
１０…イオントフォレーシス装置
２０…作用側電極構造体
２４…電解液保持部
２６…第２イオン選択性膜
３２…薬液保持部
３６…リリースライナー
３７…小面積側部分
３８…大面積側部分
３８Ｂ、３８Ｃ、３８Ｄ、３８Ｅ、３８Ｆ…糸状体
【図１】
2007229228.tif 000003
【図２】
2007229228.tif 000004
【図３】
2007229228.tif 000005
【図４】
2007229228.tif 000006
【図５】
2007229228.tif 000007
【図６】
2007229228.tif 000008
【図７】
2007229228.tif 000009
【図８】
2007229228.tif 000010
【図９】
2007229228.tif 000011
【図１０】
2007229228.tif 000012